(57)【要約】【課題】  自動車ドアキーを残したままドアをロックしてしまった場合でも、ロック解除可能とした自動車のドアロック解除システムを提供する。【解決手段】  サーバは、処理装置に対し自動車ドアキー確認情報を送信する手段と、処理装置から情報を受信する手段と、携帯電話機に自動車ドアキー存在情報を送信する手段とを有し、携帯電話機は、ＩＣカードの装着部を備え、ＩＣカードの認証情報を処理装置に送信する手段を有し、処理装置は、サーバから自動車ドアキー確認情報を受信する手段と、電波を送信し、固有情報を読み取る自動車ドアキー検知手段と、検知処理の結果、固有情報が受信された場合にサーバに対して自動車ドアキー存在情報を送信させる手段と、認証情報が記憶された記憶手段と、認証情報を受信する手段と、前記固有情報の受信が行われていることを条件に、認証情報を受信した際にドアロックを解除するドアロック制御手段とを有する。【選択図】        図１
2005060949.tif 000002
【特許請求の範囲】
【請求項１】
自動車の所有者が所持する携帯電話機と、自動車に搭載された処理装置と、前記携帯電話機及び前記処理装置と通信可能に設けられたサーバと、固有情報が非接触で読み取り可能に記憶された記憶媒体を備えた自動車ドアキーとにより、自動車内に自動車ドアキーを置き忘れてドアロックをした場合でも、ドアロックの解除を可能としたドアロック解除システムであって、
前記サーバは、前記携帯電話機からの指示情報に基いて、前記処理装置に対して自動車ドアキー確認情報を送信する手段と、前記処理装置から自動車内に自動車ドアキーが存在することを示す情報を受信する手段と、前記携帯電話機に自動車内に自動車ドアキーが存在することを示す情報を送信する手段と、を有し、
前記携帯電話機は、本人照合用の認証情報が記憶されたＩＣカードを装着する装着部を備え、前記ＩＣカードに記憶された本人照合用の認証情報を前記処理装置に送信する手段を有し、
前記処理装置は、前記サーバから自動車ドアキー確認情報を受信する手段と、前記自動車ドアキー確認情報を受信した際に、自動車内に置き忘れられた自動車ドアキーに電波を送信し、自動車ドアキーの記憶媒体に記憶された固有情報を非接触で読み取る自動車ドアキー検知手段と、前記自動車ドアキー検知手段による検知処理の結果、前記固有情報が受信された場合に、前記サーバに対して、自動車内に自動車ドアキーが存在することを示す情報を送信させる手段と、本人照合用の認証情報が記憶された記憶手段と、前記携帯電話機から無線で送信される本人照合用の認証情報を受信する手段と、前記自動車ドアキー検知手段による固有情報の受信が行われていることを条件に、前記本人照合用の認証情報を受信した際にドアロックを解除するドアロック制御手段と、を有することを特徴とする自動車のドアロック解除システム。
【発明の詳細な説明】
【技術分野】
【０００１】
本発明は、自動車内に自動車ドアキーを残したまま、誤って自動車のドアを閉めてロックしてしまった場合でも、自動車の運転者自身でロックを解除してドアを開けることを可能とした自動車のドアロック解除システムに関する。
【背景技術】
【０００２】
一般的に自動車の運転者が、自動車から降りる際には、自動車ドアキーを抜取ってからドアをロック状態にして閉めることで、第三者による自動車盗難の予防などをしているが、たまにうっかり誤って、自動車ドアキーを残したまま自動車のドアを閉めてロックしてしまうことがある。
【０００３】
このような時には、スペアーキーがある場合には、スペアーキーを取りに行ってスペアーキーを用いてドアを開けたり、または開鍵サービスを提供する業者に連絡して、これらの業者に来てもらうことでロックしたドアを開けてもらうなどすることもある。
【０００４】
しかしながら、スペアーキーを持ち合わせていなかったり、スペアーキーがその自動車のある場所から遠い場所に置いてあることもある。
【０００５】
また、ロック解除サービスを提供する業者に依頼して、ロックの解除を行なってもらう場合には、高い費用がかかったり、その業者のサービスステーションが遠方にあるなどの場合には、長時間待ち時間がかかったりして、その後の行動予定が大幅にくるってしまうということもあるなど種々の問題になる。
【０００６】
従来の自動車ドアキーは、鍵穴から不正に操作することで、ドアロックが解除されたり、エンジンを始動される危険性があることなどから、自動車ドアキーとしてＩＣカードをキーの代わりに用いたシステムも既に公開されている。（例えば、特許文献１参照）
しかしながら、ＩＣカードをキーの代わり用いたシステムでは、自動車を製造する際に自動車のドアにＩＣカードリーダーを備えなくてはならず、また電気的な故障が発生する危険性もあるという問題がある。
【特許文献１】特開２００３−１２００９４号公報
【発明の開示】
【発明が解決しようとする課題】
【０００７】
本発明は、自動車内に自動車ドアキーを残したまま、誤って自動車のドアを閉めてロックしてしまった場合でも、自動車の運転者自身でロックを解除してドアを開けることを可能とした自動車のドアロック解除システムを提供する。
【課題を解決するための手段】
【０００８】
本発明の自動車のドアロック解除システムは、自動車の所有者が所持する携帯電話機と、自動車に搭載された処理装置と、前記携帯電話機及び前記処理装置と通信可能に設けられたサーバと、固有情報が非接触で読み取り可能に記憶された記憶媒体を備えた自動車ドアキーとにより、自動車内に自動車ドアキーを置き忘れてドアロックをした場合でも、ドアロックの解除を可能としたドアロック解除システムであって、前記サーバは、前記携帯電話機からの指示情報に基いて、前記処理装置に対して自動車ドアキー確認情報を送信する手段と、前記処理装置から自動車内に自動車ドアキーが存在することを示す情報を受信する手段と、前記携帯電話機に自動車内に自動車ドアキーが存在することを示す情報を送信する手段と、を有し、前記携帯電話機は、本人照合用の認証情報が記憶されたＩＣカードを装着する装着部を備え、前記ＩＣカードに記憶された本人照合用の認証情報を前記処理装置に送信する手段を有し、前記処理装置は、前記サーバから自動車ドアキー確認情報を受信する手段と、前記自動車ドアキー確認情報を受信した際に、自動車内に置き忘れられた自動車ドアキーに電波を送信し、自動車ドアキーの記憶媒体に記憶された固有情報を非接触で読み取る自動車ドアキー検知手段と、前記自動車ドアキー検知手段による検知処理の結果、前記固有情報が受信された場合に、前記サーバに対して、自動車内に自動車ドアキーが存在することを示す情報を送信させる手段と、本人照合用の認証情報が記憶された記憶手段と、前記携帯電話機から無線で送信される本人照合用の認証情報を受信する手段と、前記自動車ドアキー検知手段による固有情報の受信が行われていることを条件に、前記本人照合用の認証情報を受信した際にドアロックを解除するドアロック制御手段と、を有することを特徴とする。
【発明の効果】
【０００９】
本発明は、自動車内に自動車ドアキーを残したまま、誤って自動車のドアを閉めてロックしてしまった場合でも、自動車ドアキーを用いないでドアを開ける手段を有しているので、自動車の運転者自身でロックを解除してドアを開けることができるという効果がある。
【発明を実施するための最良の形態】
【００１０】
以下、図面を参照しながら本発明について、実施の形態を詳述する。
【００１１】
図１は、本発明の実施形態に係る自動車のドアロック解除システムの概要を説明する外観図、第２図は、本発明の実施形態に係る自動車のドアロック解除システムのシステムブロック図、第３図は、本発明の実施形態に係る自動車のドアロック解除システムの処理手順を説明するフローチャートである。
【００１２】
本発明の実施形態に係る自動車のドアロック解除システムは、図１に示すように、自動車１に搭載された処理装置２と、固有情報が非接触で読み取り可能に記憶された記憶媒体１７を備えた自動車ドアキー３と、自動車の所有者が所持する携帯電話機４と、処理装置２及び携帯電話機４と通信可能に設けられたサーバ５とにより構成されている。
【００１３】
サーバ５は、自動車１に搭載された処理装置２及び携帯電話機４と、通信回線７及び移動体通信回線８などを介して無線での通信が行えるようにしてある。
【００１４】
また、携帯電話機４には、本人照合用の認証情報が記憶されたＩＣカード６を装着する装着部が備えられ、ＩＣカード６に記憶された本人照合用の認証情報を携帯電話機４で読み取り、その認証情報をサーバ５へ送信できるように構成されている。
【００１５】
自動車ドアキー３には、アンテナ及びアンテナに接続されたＩＣからなる記憶媒体が内蔵され、このＩＣのメモリに自動車ドアキー３を特定することができる固有情報が記憶され、自動車１に搭載された処理装置２から発信される質問電波を受信して、応答電波を返信することで、処理装置２に対して固有情報を送信出来るようにしてある。
【００１６】
つまり、これにより自動車ドアキー３が、自動車内に存在しているのか否かを調べることができ、運転者が自動車を降りる際に自動車内に自動車ドアキー３を置き忘れてしまったのか、自動車の外部で紛失したのかに関する確認ができるようにしてある。
【００１７】
本発明では、自動車内に自動車ドアキー３を置き忘れてしまった場合に、携帯電話機４を用いてロック状態にあるドアを開ける事が出来るようにシステム化されたものである。
【００１８】
次に、本発明の実施形態に係る自動車のドアロック解除システムのシステム構成を、図２に基いて説明する。
【００１９】
まず、自動車１に搭載された処理装置２には、移動体通信回線８を介してサーバ５と通信を行うための通信手段９と、自動車ドアキー検知手段１０と、記憶手段１１と、送受信手段１２と、送信制御手段１３と、ドアロック制御手段１４と、照合手段１５と、制御手段１６とが備えられている。
【００２０】
自動車ドアキー検知手段１０は、電波による質問電波を発信して、車内に自動車ドアキーが存在している場合に、自動車ドアキー３に備えられている記憶媒体１７に記憶されている固有情報を応答電波として受信することで、自動車ドアキー３が車内にあるか否かを検知する機能を有している。
【００２１】
また、記憶手段１１には、自動車ドアキー３に備えられている記憶媒体１７に記憶されている固有情報と同一の固有情報と、本人照合用の認証情報と、処理プログラムなどが記憶されている。
【００２２】
自動車ドアキー検知手段１０で受信された固有情報は、記憶手段１１に予め記憶されている固有手段と、照合手段１５により照合されることで自動車ドアキー３の存在確認が行なわれる。
【００２３】
送受信手段１２は、携帯電話機４の送受信手段から送信される本人照合用の認証情報を受信する機能を有している。
【００２４】
この本人照合用の認証情報は、ＩＣカード６の記憶手段に予め記憶されている情報であり、携帯電話機４を自動車に搭載されている処理装置２に近づけることで、処理装置２の送受信手段１２が認証情報を受信し、照合手段１５により記憶手段１１に予め記憶されている本人照合用の固有情報と照合処理されることで、照合結果が一致した場合に、ドアロック制御手段１４によりドアロックが解除されるように構成されている。
【００２５】
自動車ドアキー３に備えられている記憶媒体１７には、アンテナからなる送受信手段１８と、ＩＣからなる制御手段１９及び記憶手段２０が備えられている。
【００２６】
そして、記憶手段２０には、自動車ドアキー３を特定するための固有情報が予め記憶されている。
【００２７】
また、携帯電話機４には、マイク２１と、表示手段２２と、記憶手段２３と、スピーカ２４と、インターフェース（Ｉ／Ｆ）２５と、操作手段２６と、送受信手段２７と、通信手段２８と、制御手段２９となどを備えている。
【００２８】
通信手段２８は、サーバ５と移動体通信回線８などを介して情報の送受信を行う機能を有し、送受信手段２７は、処理装置２の送受信手段１２と無線での情報の送受信を行う機能を有している。
【００２９】
ＩＣカード６に装着されたＩＣカード６には、インターフェース（Ｉ／Ｆ）３０と、制御手段３１と、記憶手段３２とが備えられ、この記憶手段３２には、本人照合用の認証情報が予め記憶されている。
【００３０】
携帯電話機４のインターフェース（Ｉ／Ｆ）２５は、ＩＣカード６に備えているインターフェース（Ｉ／Ｆ）３０との間で、ＩＣカード６の記憶手段３２に記憶されている本人照合用の認証情報を受信し、携帯電話機４の送受信手段２７から処理装置２の送受信手段１２に対して、本人照合用の認証情報の送信を行う。
【００３１】
これらの処理は、携帯電話機４の記憶手段２３に記憶されている処理プログラムにより、操作手段２６から入力した指示情報に基いて行なわれる。
【００３２】
次に、サーバ５には、通信手段３３と、利用者情報データベース３４と、自動車ドアキー確認情報送受信制御手段３５とが備えられている。
【００３３】
利用者情報データベース３４には、利用者毎に自動車に搭載された処理装置２の電話番号と、利用者ＩＤ番号とが関係付けられた状態で登録されていて、利用者からサーバ５に利用者ＩＤ番号を送ることで、この利用者ＩＤ番号に関係付けられて登録されている電話番号に対して、自動車ドアキー確認情報送受信制御手段３５により、サーバ５から自動車ドアキー確認情報が送信されるように制御される。
【００３４】
更に、自動車ドアキー確認情報送受信制御手段３５は、処理装置２から自動車ドアキー３が車内に存在していることを示す情報をサーバ５側で受信した際に、サーバ５から携帯電話機４に同様の情報が送信するように処理される。
【００３５】
次に、本発明の実施形態に係る自動車のドアロック解除システムの処理手順を、図３のフローチャートに基いて説明する。
【００３６】
まず、自動車１の運転者が誤って自動車ドアキー３を持たないで、ドアロックをして降車したとする。
【００３７】
運転者は、最初に携帯電話機４を用いて、サーバ５に対して利用者ＩＤ番号を送信する。（ステップＳ１）
サーバ５は、受信した利用者ＩＤ番号と関連付けられて利用者情報データベース３４に登録されている電話番号先に対して、自動車ドアキー確認情報の送信を行う。（ステップＳ２）
この情報を受信した処理装置２では、自動車ドアキー検知手段１０から質問電波が送信される。（ステップＳ３）
ここで、自動車ドアキー３が車内に存在している場合には、自動車ドアキー３に備えられている記憶媒体１７の記憶手段２０に記憶されている固有情報が応答電波として送信されて、処理装置２により受信される。（ステップＳ４）
そして、受信された固有情報は、予め記憶手段１５に記憶されている固有手段と照合処理される。（ステップＳ５）
この照合処理で一致した場合にだけ、処理装置２の通信手段９からサーバ５に対して、自動車ドアキー３が車内に存在していることを示す情報が送信される。（ステップＳ６）
但し、自動車ドアキー３が車内に存在していない場合や、照合処理で不一致と判断された場合には、自動車ドアキー３に備えられている記憶媒体１７の記憶手段２０に記憶されている固有情報が応答電波として送信されないこととなり、処理装置２による処理はここで中止されて処理が終了する。
【００３８】
次に、自動車ドアキー３が車内に存在していることを示す情報を受信したサーバ５は、今度は携帯電話機４に対して同様に自動車ドアキー存在情報の送信を行う。（ステップＳ７）
これにより、運転者は、自動車ドアキー３が車内に存在していることがわかると共に、ドアロックを解除する処理を行うことが可能であると認識できる。
【００３９】
運転者は、携帯電話機４の操作手段２６を操作して、ＩＣカード６の記憶手段３２に記憶されている本人照合用の認証情報を送受信手段２７から処理装置２に送信する。（ステップＳ８）
本人照合用の認証情報を受信した処理装置２は、記憶手段１１に予め登録されている本人照合用の認証情報と照合手段１５で照合処理を行なう。（ステップＳ９）
この照合処理で、照合一致した場合に、ドアロック制御手段１４によりドアロックの解除が行なわれる。（ステップＳ１０）
尚、ここで照合不一致の場合には、ドアロックの解除は行なわれないで処理が終了する。
【００４０】
以上の処理により、正規の権限を有する運転者だけが、ドアロックの解除を行えるようにしてある。
【図面の簡単な説明】
【００４１】
【図１】本発明の実施形態に係る自動車のドアロック解除システムの概要を説明する外観図である。
【図２】本発明の実施形態に係る自動車のドアロック解除システムのシステムブロック図である。
【図３】本発明の実施形態に係る自動車のドアロック解除システムの処理手順を説明するフローチャートである。
【符号の説明】
【００４２】
１  自動車
２  処理装置
３  自動車ドアキー
４  携帯電話機
５  サーバ
６  ＩＣカード
７  通信回線
８  移動体通信回線
９，２８，３３  通信手段
１０  自動車ドアキー検知手段
１１，２０，２３  記憶手段
１２，２７  送受信手段
１３  送信制御手段
１４  ドアロック制御手段
１５  照合手段
１６，１９，２９，３６  制御手段
１７  記憶媒体
２１  マイク
２２  表示手段
２４  スピーカ
２５，３０  インターフェース（Ｉ／Ｆ）
２６  操作手段
３４  利用者情報データベース
３５  自動車ドアキー確認情報送受信制御手段
【図１】
2005060949.tif 000003
【図２】
2005060949.tif 000004
【図３】
2005060949.tif 000005